(57)【特許請求の範囲】
【請求項１】
留守宅への侵入者の侵入を検知するセンサを備えた侵入者検知部と、前記侵入者検知部から供給される侵入者検知信号に基づいて発信起動信号を発生する侵入者特定制御部と、発信起動信号に基づいて妨害電波を前記侵入者が所持する携帯無線機に対して発生・停止する妨害電波発信部と、を備えて構成し、前記侵入者特定制御部は、電源投入によって前記侵入者検知部および前記妨害電波発信部を起動させた後、前記留守宅への侵入者があった場合前記侵入者検知部のセンサに前記留守宅への侵入者の侵入を検知させて、当該センサによる侵入者の侵入検知信号に基づいて発信起動信号を発生し、前記妨害電波発信部が当該発信起動信号に基づいて妨害電波を発生させると共に前記侵入者が所持する携帯無線機に対して当該妨害電波を発生・停止するようにし、当該侵入者が所持する携帯無線機からの携帯番号あるいはＩＤ等の電話機情報を当該携帯無線機が所属する局装置側の基地局を経由して受けることによって、当該侵入者を特定するように構成したことを特徴とする侵入者特定装置。
【請求項２】
前記妨害電波発信部は、前記妨害電波を所定のパターンで発生・停止するように構成したことを特徴とする請求項１記載の侵入者特定装置。
【請求項３】
前記侵入者検知部が前記留守宅への侵入者の侵入を検知した際、前記侵入者検知部から前記侵入者特定制御部に供給された前記侵入者の侵入検知信号に基づき、前記局装置の基地局に当該留守宅の位置を特定させるための位置特定依頼情報を前記局装置に送信する位置特定依頼情報発信部を備えたことを特徴とする請求項１記載の侵入者特定装置。
【請求項４】
留守宅に侵入した侵入者を検知して警報信号を送信するとともに、前記侵入者が所持する携帯無線機に対して妨害電波の発生・停止を行い、発生・停止時間情報を送信する侵入者特定装置の検知方法であって、
前記侵入者特定装置が、留守宅への侵入者を検知するセンサを備えた侵入者検知部と、前記侵入者検知部から供給される侵入者検知信号に基づいて発信起動信号を発生する侵入者特定制御部と、発信起動信号に基づいて妨害電波を前記侵入者が所持する携帯無線機に対して発生・停止する妨害電波発信部とを備えて構成しており、
前記侵入者特定制御部への電源投入によって前記侵入者検知部および前記妨害電波発信部を起動させた後、前記留守宅への侵入者があった場合前記侵入者検知部のセンサに前記留守宅への侵入者の侵入を検知させ、次に、当該センサによる侵入者の侵入検知信号に基づいて発信起動信号を前記妨害電波発生部に発信し、次に、前記妨害電波発信部が当該発信起動信号に基づいて妨害電波を発生すると共に当該妨害電波を前記侵入者が所持する携帯無線機に対して当該妨害電波の発生・停止を行い、次に、前記侵入者特定制御部が、当該侵入者が所持する携帯無線機からの携帯番号あるいはＩＤ等の電話機情報を当該携帯無線機が所属する局装置側の基地局から受けることによって、前記電話機情報に基づいて当該侵入者を特定することを特徴とする侵入者特定装置の検知方法。
【請求項５】
留守宅への侵入者を検知するセンサを備えた侵入者検知部、前記侵入者検知部から供給される侵入者検知信号に基づいて発信起動信号を発生する侵入者特定制御部、および発信起動信号に基づいて妨害電波を前記侵入者が所持する携帯無線機に対して発生・停止する妨害電波発信部により構成する侵入者特定装置を備えるとともに、前記侵入者検知部から供給される侵入者検知信号に基づいて前記侵入者特定制御部が発生した警報信号を受信して前記侵入者が侵入した前記留守宅を特定するセキュリティ管理装置と、前記侵入者特定装置の前記妨害電波発信部による前記妨害電波の発生・停止に伴い前記侵入者が所持する携帯無線機が圏外／圏内となり、圏外から圏内に切り替わる時に、前記携帯無線機から当該携帯無線機に係る携帯番号或いはＩＤ等の電話機情報を受信して、当該電話機情報に基づいて前記携帯無線機を推定する局装置と、を備えたことを特徴とする侵入者特定システム。
【請求項６】
前記侵入者特定装置は、妨害電波の発生・停止時間情報を送信するように構成したことを特徴とする請求項５記載の侵入者特定システム。
【請求項７】
前記セキュリティ管理装置は、前記妨害電波の発生・停止時間情報を受信して記憶するように構成したことを特徴とする請求項６記載の侵入者特定システム。
【請求項８】
前記セキュリティ管理装置は、前記侵入者特定装置に予め入力した携帯無線機の除外リストを記憶する除外リスト記憶部を備えたことを特徴とする請求項５記載の侵入者特定システム。
【請求項９】
留守宅への侵入者を検知するセンサを備えた侵入者検知部、前記侵入者検知部から供給される侵入者検知信号に基づいて発信起動信号を発生する侵入者特定制御部、および発信起動信号に基づいて妨害電波を前記侵入者が所持する携帯無線機に対して発生・停止する妨害電波発信部により構成する侵入者特定装置と、前記侵入者検知部から供給される侵入者検知信号に基づいて前記侵入者特定制御部が発生する警報信号を受信して前記侵入者が侵入した前記留守宅を特定するセキュリティ管理装置と、前記侵入者特定装置の前記妨害電波発信部による前記妨害電波の発生・停止に伴い前記侵入者が所持する携帯無線機が圏外／圏内となり、圏外から圏内に切替わる時に、前記携帯無線機から当該携帯無線機に係る携帯番号或いはＩＤ等の電話機情報を受信して、当該電話機情報に基づいて前記携帯無線機を指定する局装置とを備えて、前記侵入者特定制御部の電源の投入によって、前記侵入者検知部および前記妨害電波発信部を起動させた後、前記留守宅への侵入があった場合前記侵入者検知部のセンサが前記留守宅への侵入者の侵入を検知し、当該センサによる侵入者の侵入検知信号に基づいて前記侵入者特定制御部が発信起動信号を発生し、当該発信起動信号により前記妨害電波発信部が前記侵入者が所持する携帯電話機に対して前記妨害電波の発生・停止を行い、これに基づき前記侵入者特定制御部から送信された当該妨害電波の発生・停止時間情報を基に前記セキュリティ管理装置が、前記侵入者が侵入した当該留守宅を特定するとともに前記妨害電波の発生・停止時間情報を前記局装置に送信し、当該局装置が、受信した前記妨害電波の発生・停止時間情報に基づいて、前記携帯無線機が圏外から圏内に切り替わる時に、前記携帯無線機から通知される当該携帯無線機に係る携帯番号或いはＩＤ等の電話機情報と、前記妨害電波の発生・停止時間情報とに基づいて、前記携帯無線機を推定するようにしたことを特徴とする侵入者特定システムの推定方法。
【発明の詳細な説明】
【０００１】
【発明の属する技術分野】
本発明は留守宅に侵入した侵入者を検知して警報信号を発生する侵入者特定装置および侵入者特定システムに係り、特に侵入者の所有するＰＨＳや携帯電話機等の携帯無線機に対して妨害電波を一時的に発生・停止し、携帯無線機が圏外から圏内になる時に通知される携帯番号やＩＤ等の情報を発生させる侵入者特定装置および携帯番号やＩＤ等の情報から携帯電話機を特定し、侵入者を特定する侵入者特定システムに関する。
【０００２】
【従来の技術】
従来の侵入者特定システムにおいて、ホームセキュリティサービスの契約者宅に窓の開閉を検知する開閉センサ、部屋に設けた人感センサ、玄関内に設置された圧力センサ等の各種センサと、各種センサが侵入者を検知すると侵入者を撮像するカメラとからなるホームセキュリティ装置を備え、各種センサが留守宅の侵入者を検知すると、ホームセキュリティ装置から警報信号をセキュリティ事業者（例えば、警備保障会社）に伝送し、セキュリティ事業者からガードマンを留守宅に急行させたり、警察機関に留守宅へ侵入者があることを通報するサービスを提供するものが知られている。
【０００３】
なお、侵入者の特定は、ホームセキュリティ装置のカメラで撮像した画像を記憶しておき、記憶した画像に基づいて実現するように構成されている。
【０００４】
【発明が解決しようとする課題】
従来の侵入者特定システムは、留守宅に侵入した侵入者の顔を高解像度に撮像できる場合には、侵入者の特定に威力を発揮することができるが、侵入者が覆面等で顔を隠していた場合、カメラの方向、撮像のタイミングまたは光の条件等により、侵入者の顔を高解像度に撮像できない時には、侵入者を特定できない課題がある。
【０００５】
一方、ＰＨＳや携帯電話機の普及は目覚しく、特に携帯電話機の普及は６千万台を超える状況にあり、留守宅への侵入者が携帯電話機を所持する確立も高く、留守宅へ侵入する際、侵入者と宅外の見張り役との複数犯に分かれ、連絡に携帯電話機を利用することが想定される。
【０００６】
携帯電話機の特性の一つとして、携帯電話機と基地局との間で常に交信を行ない、携帯電話機は常にいずれかの基地局に属している。また、携帯電話機の特性の一つとして、携帯電話機がある基地局からの電波状態（電界強度）が悪くなり「圏外」になると、携帯電話機と基地局間の交信が一旦途絶えるが、携帯電話機は基地局の電波状態を監視しており、基地局からの電波状態が良くなり「圏内」になると、携帯電話機から携帯番号やＩＤ等の情報を基地局に通知し、携帯電話機と基地局との間の交信が再開する。なお、「圏外」から「圏内」に移行した場合、携帯電話機からの携帯番号やＩＤ等の情報の通知は、自動的に処理される。
【０００７】
一方、携帯電話機は、基地局と交信状態（「圏内」）にあっても、基地局からの無線周波数帯と同じ周波数帯（現行では、８００ＭＨｚ帯、１．３ＧＨｚ帯）の電波で、基地局からの電界強度よりわずかに大きい電界強度の電波（妨害電波）を発生させると、基地局との交信を遮断状態（「圏外」）にすることができ、このような妨害電波の発生は、コンサートホールや病院内部等の携帯電話機への着信が著しく迷惑になる場所で許可される傾向にある。なお、妨害電波の電界強度は、著しく弱いものでよく、ペースメーカ等の医療機器に影響を及ぼすものではない。
【０００８】
この発明はこのような課題を解決するためになされたもので、その目的は侵入者を検知すると妨害電波を発生・停止し、侵入者の携帯電話機を「圏外」から「圏内」とすることにより、携帯電話機から自動的に携帯番号やＩＤ等の情報を通知させる侵入者特定装置を提供することにある。
【０００９】
また、携帯電話機から自動的に通知される携帯番号やＩＤ等の情報と、妨害電波の発生・停止時間とを照合することにより、侵入者を推定する侵入者特定システムを提供することにある。
【００１０】
【課題を解決するための手段】
前記課題を解決するためこの発明に係る侵入者特定装置は、留守宅への侵入者の侵入を検知するセンサを備えた侵入者検知部と、侵入者検知部から供給される侵入者検知信号に基づいて発信起動信号を発生する侵入者特定制御部と、発信起動信号に基づいて妨害電波を侵入者が所持する携帯無線機に対して発生・停止する妨害電波発信部と、を備えて構成し、侵入者特定制御部が、電源投入によって侵入者検知部および妨害電波発信部を起動させた後、留守宅への侵入者があった場合侵入者検知部のセンサに留守宅への侵入者の侵入を検知させて、当該センサによる侵入者の侵入検知信号に基づいて発信起動信号を発生し、妨害電波発信部が当該発信起動信号に基づいて妨害電波を発生させると共に侵入者が所持する携帯無線機に対して当該妨害電波を発生・停止するようにし、当該侵入者が所持する携帯無線機からの携帯番号あるいはＩＤ等の電話機情報を当該携帯無線機が所属する局装置側の基地局を経由して受けることによって、当該侵入者を特定するように構成したことを特徴とする。
【００１１】
この発明に係る侵入者特定装置は、侵入者を検知するセンサを備えた侵入者検知部と、侵入者検知部から供給されるセンサ信号に基づいて発信起動信号を発生する侵入者特定制御部と、発信起動信号に基づいて侵入者が所持する携帯無線機に対して妨害電波を発生・停止する妨害電波発信部とを備えたので、留守宅への侵入者が所持する携帯無線機（携帯電話機）に対して妨害電波を発生・停止し、侵入者に気付かれることなく携帯無線機（携帯電話機）から携帯番号やＩＤ等の情報を通知させることができ、侵入者の携帯無線機（携帯電話機）の推定に有効に機能させることができ、装置の性能向上を図ることができる。
【００１２】
また、この発明に係る妨害電波発信部は、妨害電波を所定のパターンで発生・停止することを特徴とする。
【００１３】
この発明に係る妨害電波発信部は、妨害電波を所定のパターンで発生・停止するので、侵入者の携帯無線機（携帯電話機）から所定のパターンで携帯番号やＩＤ等の情報を発生させることができ、侵入者の携帯無線機（携帯電話機）の推定を一層有効に機能させることができる。
【００１４】
さらに、この発明に係る侵入者特定装置は、侵入者検知部が留守宅への侵入者の侵入を検知した際、侵入者検知部から侵入者特定制御部に供給された侵入者の侵入検知信号に基づき、局装置の基地局に当該留守宅の位置を特定させるための位置特定依頼情報を局装置に送信する位置特定依頼情報発信部を備えたことを特徴とする。
【００１５】
この発明に係る侵入者特定装置は、侵入者検知部から供給されるセンサ信号に基づいて位置特定依頼情報を発生する位置特定依頼情報発信部を備えたので、位置特定依頼情報により、基地局等で、侵入者の携帯無線機（携帯電話機）の位置を特定させることができ、侵入者の携帯無線機（携帯電話機）の推定をより一層有効に機能させることができる。
【００１６】
また、この発明に係る侵入者特定装置の検知方法は、留守宅に侵入した侵入者を検知して警報信号を送信するとともに、侵入者が所持する携帯無線機に対して妨害電波の発生・停止を行い、発生・停止時間情報を送信する侵入者特定装置の検知方法であって、侵入者特定装置が、留守宅への侵入者を検知するセンサを備えた侵入者検知部と、侵入者検知部から供給される侵入者検知信号に基づいて発信起動信号を発生する侵入者特定制御部と、発信起動信号に基づいて妨害電波を侵入者が所持する携帯無線機に対して発生・停止する妨害電波発信部とを備えて構成しており、侵入者特定制御部への電源投入によって侵入者検知部および妨害電波発信部を起動させた後、留守宅への侵入者があった場合侵入者検知部のセンサに留守宅への侵入者の侵入を検知させ、次に、当該センサによる侵入者の侵入検知信号に基づいて発信起動信号を前記侵入者特定制御部が前記妨害電波発信部に対して発生し、次に、妨害電波発信部が当該発信起動信号に基づいて妨害電波を発生すると共に当該妨害電波を侵入者が所持する携帯無線機に対して当該妨害電波の発生・停止を行い、次に、侵入者特定制御部が、当該侵入者が所持する携帯無線機からの携帯番号あるいはＩＤ等の電話機情報を当該携帯無線機が所属する局装置側の基地局から受けることによって、電話機情報に基づいて当該侵入者を特定することを特徴とする。
【００１７】
この発明に係る侵入者特定装置の検知方法は、留守宅に侵入した侵入者を検知して警報信号を送信するとともに、侵入者が所持する携帯無線機に対して妨害電波の発生・停止を行い、発生・停止時間情報を送信する方法であって、侵入者を検知したか否かを判定するステップ（Ｓ１）と、警報信号を発生するステップ（Ｓ２）と、発信起動信号を発生するステップ（Ｓ３）と、妨害電波を発信するステップ（Ｓ４）と、妨害電波を停止するステップ（Ｓ５）とを備えたので、侵入者を検知すると、妨害電波を発生・停止して侵入者の携帯無線機（携帯電話機）から携帯番号やＩＤ等の情報を通知させるので、侵入者の携帯無線機（携帯電話機）の推定に有効に機能させることができ、セキュリティの信頼性向上を図ることができる。
【００１８】
さらに、この発明に係る侵入者特定システムは、留守宅への侵入者を検知するセンサを備えた侵入者検知部、侵入者検知部から供給される侵入者検知信号に基づいて発信起動信号を発生する侵入者特定制御部、および発信起動信号に基づいて妨害電波を侵入者が所持する携帯無線機に対して発生・停止する妨害電波発信部により構成する侵入者特定装置を備えるとともに、前記侵入者検知部から供給される侵入者検知信号に基づいて前記侵入者特定制御部が発生する警報信号を受信して侵入者が侵入した留守宅を特定するセキュリティ管理装置と、侵入者特定装置の妨害電波発信部による妨害電波の発生・停止に伴い侵入者が所持する携帯無線機が圏外／圏内となり、圏外から圏内に切り替わる時に、携帯無線機から当該携帯無線機に係る携帯番号或いはＩＤ等の電話機情報を受信して、当該電話機情報に基づいて携帯無線機を推定する局装置と、を備えたことを特徴とする。
【００１９】
この発明に係る侵入者特定システムは、留守宅に侵入した侵入者を検知して警報信号を送信するとともに、侵入者が所持する携帯無線機に対して妨害電波の発生・停止を行う侵入者特定装置と、侵入者特定装置から送信された警報信号を受信して侵入者が侵入した留守宅を特定するセキュリティ管理装置と、侵入者特定装置の妨害電波の発生・停止に伴い侵入者が所持する携帯無線機が圏外／圏内となり、圏外から圏内に切り替わる時に、携帯無線機から通知される情報に基づいて携帯無線機を推定する局装置とを備えたので、留守宅への侵入者が所持する携帯無線機（携帯電話機）に対して妨害電波を発生・停止し、侵入者に気付かれることなく携帯無線機（携帯電話機）から携帯番号やＩＤ等の情報を通知させ、携帯番号やＩＤ等の情報に基づいて携帯無線機（携帯電話機）を推定し、侵入者を特定することができ、留守宅侵入に関する犯罪をスピーディに解決可能なホームセキュリティの信頼性向上を図ることができる。
【００２０】
また、この発明に係る侵入者特定装置は、妨害電波の発生・停止時間情報を送信することを特徴とする。
【００２１】
この発明に係る侵入者特定装置は、妨害電波の発生・停止時間情報を送信するので、妨害電波の発生・停止時間情報と携帯無線機（携帯電話機）から通知される携帯番号やＩＤ等の情報を照合することにより、携帯無線機（携帯電話機）の特定が正確になって侵入者を特定することができる。
【００２２】
さらに、この発明に係るセキュリティ管理装置は、妨害電波の発生・停止時間情報を受信して記憶することを特徴とする。
【００２３】
この発明に係るセキュリティ管理装置は、妨害電波の発生・停止時間情報を受信して記憶するので、妨害電波の発生・停止時間情報と携帯無線機（携帯電話機）から通知される携帯番号やＩＤ等の情報とを照合することにより、携帯電話機を特定することができ、侵入者を特定することができる。
【００２４】
また、この発明に係るセキュリティ管理装置は、侵入者特定装置に予め入力した携帯無線機の除外リストを記憶する除外リスト記憶部を備えたことを特徴とする。
【００２５】
この発明に係るセキュリティ管理装置は、侵入者特定装置に予め入力した携帯無線機の除外リストを記憶する除外リスト記憶部を備えたので、留守宅に家族の携帯無線機（携帯電話機）がある場合、ホームセキュリティ装置から発生・停止される妨害電波により、侵入者の携帯無線機（携帯電話機）とともに、家族の携帯無線機（携帯電話機）から携帯番号やＩＤ等の情報が通知されても、除外リストに基づいて家族の携帯無線機（携帯電話機）を除外することができ、侵入者の携帯無線機（携帯電話機）を確実に推定することができる。
【００２６】
さらに、この発明に係る侵入者特定システムの推定方法は、留守宅への侵入者を検知するセンサを備えた侵入者検知部、侵入者検知部から供給される侵入者検知信号に基づいて発信起動信号を発生する侵入者特定制御部、および発信起動信号に基づいて妨害電波を侵入者が所持する携帯無線機に対して発生・停止する妨害電波発信部により構成する侵入者特定装置と、侵入者が所持する携帯無線機からの携帯番号あるいはＩＤ等の電話機情報を受信して侵入者が侵入した留守宅を特定するセキュリティ管理装置と、侵入者特定装置の妨害電波発信部による妨害電波の発生・停止に伴い侵入者が所持する携帯無線機が圏外／圏内となり、圏外から圏内に切替わる時に、携帯無線機から当該携帯無線機に係る携帯番号或いはＩＤ等の電話機情報を受信して、当該電話機情報に基づいて携帯無線機を指定する局装置とを備えて、侵入者特定制御部の電源の投入によって、侵入者検知部および妨害電波発信部を起動させた後、留守宅への侵入があった場合侵入者検知部のセンサが留守宅への侵入者の侵入を検知し、当該センサによる侵入者の侵入検知信号に基づいて侵入者特定制御部が発信起動信号を発生し、当該発信起動信号により妨害電波発信部が侵入者が所持する携帯電話機に対して妨害電波の発生・停止を行い、これに基づき侵入者特定制御部から送信された当該妨害電波の発生・停止時間情報を基にセキュリティ管理装置が前記侵入者が侵入した当該留守宅を特定するとともに、妨害電波の発生・停止時間情報を局装置に送信し、当該局装置が、受信した妨害電波の発生・停止時間情報に基づいて、携帯無線機が圏外から圏内に切り替わる時に、携帯無線機から通知される当該携帯無線機に係る携帯番号或いはＩＤ等の電話機情報と、妨害電波の発生・停止時間情報とに基づいて、携帯無線機を推定するようにしたことを特徴とする。
【００２７】
この発明に係る侵入者特定システムの推定方法は、留守宅に侵入した侵入者を検知して警報信号を送信するとともに、侵入者が所持する携帯無線機に対して妨害電波の発生・停止を行い、発生・停止時間情報を送信するとともに、携帯無線機が圏外／圏内となり、圏外から圏内に切り替わる時に、携帯無線機から通知される情報と、妨害電波の発生・停止時間情報とに基づいて携帯無線機を推定するので、留守宅への侵入者が所持する携帯電話機を容易に推定することができ、侵入者を特定して留守宅侵入に関する犯罪をスピーディに解決可能なホームセキュリティの信頼性向上を図ることができる。
【００２８】
【発明の実施の形態】
以下、この発明の実施の形態を添付図面に基づいて説明する。図１はこの発明に係る侵入者特定装置の一実施の形態要部ブロック構成図である。図１において、侵入者特定装置１は、侵入者検知部２、侵入者特定制御部３、妨害電波発信部４、操作部５を備え、例えば、ホームセキュリティ契約者宅に設置する。
【００２９】
侵入者特定装置１は、留守宅（ホームセキュリティ契約者宅）に侵入した侵入者８を検知して警報信号を発生するとともに、侵入者８が所持する携帯無線機（携帯電話機９）に対して妨害電波４ａの発生・停止を行い、妨害電波４ａの発生・停止時間情報を発生する。
【００３０】
侵入者検知部２は、留守宅（ホームセキュリティ契約者宅）に侵入する侵入者８を検知する１個または複数のセンサを備え、侵入者８を検知した場合にはセンサ信号を侵入者特定制御部３に供給する。なお、１個または複数のセンサは、留守宅の窓の開閉を検知する開閉センサ、部屋に設けた人感センサ、玄関内に設置された圧力センサ、赤外線センサ、超音波センサ、振動センサ、画像カメラ、感音センサ等で構成する。
【００３１】
侵入者特定制御部３は、マイクロプロセッサを基本に各種処理機能、タイマ機能、信号発生機能、通信機能を備え、侵入者検知部２から供給されるセンサ信号に基づいて警報信号を発生する。
【００３２】
また、侵入者特定制御部３は、侵入者検知部２から供給されるセンサ信号に基づいて発信起動信号を妨害電波発信部４に提供する。
【００３３】
さらに、侵入者特定制御部３は、妨害電波発信部４から提供される妨害電波の発生（開始）時間情報および停止時間情報を発生する。
【００３４】
また、侵入者特定制御部３は、操作部５から供給される留守設定情報に基づいて侵入者検知部２および妨害電波発信部４を起動状態に設定する。なお、侵入者特定装置１の電源投入により、侵入者検知部２および妨害電波発信部４を起動状態に設定することもできる。また、モード設定による場合、パスワード入力、遠隔操作または点字入力等によって妨害電波発信部４を起動状態に設定することもできる。
【００３５】
妨害電波発信部４は、電波発信回路等で構成し、侵入者特定制御部３から提供される発信起動信号に基づいて妨害電波４ａを発生し、停止する。なお、妨害電波４ａは、携帯電話機９の周波数帯（例えば、８００ＭＨｚ帯、１．３ＧＨｚ帯のいずれか一方または双方）に設定する。
【００３６】
また、妨害電波発信部４は、妨害電波４ａを所定のパターンで発生・停止し、妨害電波４ａの発生・停止を複数回繰返し、妨害電波４ａが停止する毎に携帯電話機９から携帯番号やＩＤ等の情報が、例えば局装置の基地局に通知されるように構成する。
【００３７】
操作部５は、在宅と外出（留守）のモードを表示する表示器、帰宅時にセンサ信号の出力をキャンセルするためのＩＤ入力部、在宅ボタン、外出ボタン、スピーカ等を備え、外出（留守）時に侵入者特定装置１を起動状態に設定し、帰宅時に侵入者特定装置１を起動状態から解除する。
【００３８】
このように、この発明に係る侵入者特定装置１は、侵入者８を検知するセンサを備えた侵入者検知部２と、侵入者検知部２から供給されるセンサ信号に基づいて発信起動信号を発生する侵入者特定制御部３と、発信起動信号に基づいて侵入者８が所持する携帯無線機（携帯電話機９）に対して妨害電波を発生・停止する妨害電波発信部４とを備えたので、留守宅への侵入者８が所持する携帯無線機（携帯電話機９）に対して妨害電波を発生・停止し、侵入者８に気付かれることなく携帯無線機（携帯電話機９）から携帯番号やＩＤ等の情報を通知させることができ、侵入者の携帯無線機（携帯電話機９）の推定に有効に機能させることができ、装置の性能向上を図ることができる。
【００３９】
図２はこの発明に係る妨害電波と電話機情報の一関連図である。図２において、妨害電波発信部４は、（ａ）図に示す発信開始時間ｔs，発信停止時間ｔpの妨害電波４ａを携帯電話機９に対して放射し、携帯電話機９は、（ｂ）図に示す携帯番号やＩＤ等の情報（電話機情報９ｔ）を妨害電波４ａの発信停止時間ｔpから時間ｔeまで自動的に発生（送信）し、例えば局装置の基地局に通知する。
【００４０】
妨害電波発信部４から放射される妨害電波４ａ（電界強度）が、例えば局装置の基地局から放射される電波９ｒ（電界強度）よりも携帯電話機９に対して強い場合（発信開始時間ｔsから発信停止時間ｔpまで）、基地局に対して携帯電話機９が「圏外」になる。一方、妨害電波４ａが停止した時間（発信停止時間ｔp）に携帯電話機９が、基地局に対して「圏内」となり、携帯電話機９から携帯番号やＩＤ等の情報（電話機情報７ｔ）を発生し、例えば基地局に通知することになる。
【００４１】
なお、妨害電波４ａは、例えば局装置の基地局から放射される電波９ｒが携帯電話機９に到達する時点で、電界強度が基地局からの電波９ｒよりも大きければよく、留守宅の外の携帯電話機やペースメーカ等の医療機器に影響を及ぼす電界強度ではない微弱電波に設定する。
【００４２】
図３はこの発明に係る妨害電波と電話機情報の別関連図である。図３において、妨害電波発信部４は、（ａ）図に示すように、妨害電波４ａの発生・停止（発信開始時間ｔs1〜ｔsn，発信停止時間ｔp1〜ｔpn）を任意回数（ｎ回）繰返して携帯電話機９に対して放射し、携帯電話機９は、（ｂ）図に示すように、携帯番号やＩＤ等の情報（電話機情報９ｔ）を妨害電波４ａの停止時間ｔp1〜ｔpnから時間ｔe1〜ｔenまでの任意ｎ回だけ自動的に発生し、例えば局装置の基地局に通知する。
【００４３】
なお、妨害電波４ａを任意回数ｎ発信する理由は、図２に示すように、妨害電波４ａを１回のみ発信すると、電話機情報９ｔを発生するタイミングで侵入者８の携帯電話機９と同様に、妨害電波４ａの影響に拠らない他の携帯電話機がたまたま「圏内」となり、携帯番号やＩＤ等の情報を基地局に対して通知する場合があり、侵入者８の携帯電話機９の推定が難しくなるのを防ぐためである。
【００４４】
このように、この発明に係る妨害電波発信部４は、妨害電波を所定のパターンで発生・停止するので、侵入者８の携帯無線機（携帯電話機９）から所定のパターンで携帯番号やＩＤ等の情報を発生させることができ、侵入者８の携帯無線機（携帯電話機９）の推定を一層有効に機能させることができる。
【００４５】
図４はこの発明に係る侵入者特定装置の別実施の形態要部ブロック構成図である。図４おいて、侵入者特定装置６は、侵入者検知部２、侵入者特定制御部３、妨害電波発信部４、操作部５、位置特定依頼情報発信部７を備える。なお、侵入者特定装置６は、図１に示す侵入者特定装置１に位置特定依頼情報発信部７が追加した点のみが異なる。
【００４６】
位置特定依頼情報発信部７は、発信機能を有し、侵入者８を侵入者検知部２が検知すると、侵入者検知部２から侵入者特定制御部３に供給されるセンサ信号に基づいて位置特定依頼情報７ｔを発生し、例えば局装置の基地局に放射する。なお、位置特定依頼情報とは、留守宅に侵入者８が侵入した場合、留守宅の位置を特定するために、例えば局装置に送信する情報を表わす。
【００４７】
このように、この発明に係る侵入者特定装置６は、侵入者検知部２から供給されるセンサ信号に基づいて位置特定依頼情報７ｔを発生する位置特定依頼情報発信部７を備えたので、位置特定依頼情報７ｔにより、基地局等で、侵入者８の携帯無線機（携帯電話機９）の位置を特定させることができ、侵入者８の携帯無線機（携帯電話機９）の推定をより一層有効に機能させることができる。
【００４８】
なお、本実施の形態では、侵入者検知部２をホームセキュリティ契約者宅に設置する場合について説明したが、店舗、デパート、美術館、ビルおよび工場等に設置して侵入者に備えることもできる。
【００４９】
図５はこの発明に係る侵入者特定装置を採用した一実施の形態製品イメージ図である。図５において、侵入者特定装置の製品３０は、図１に示す侵入者特定装置１で説明した侵入者特定制御部３、妨害電波発信部４または図４に示す侵入者特定制御部３、妨害電波発信部４、位置特定依頼情報発信部７をケース３１内に内蔵し、センサを形成する侵入者検知部２からの配線を侵入者特定制御部３に接続する。
【００５０】
また、操作部５としての表示器３２、在宅ボタン３３、外出ボタン３４をケース３１の表面に配置するとともに、スピーカ３５および妨害電波発信部４の妨害電波や位置特定依頼情報発信部７の位置特定依頼情報の送信アンテナ３６を配置する。
【００５１】
次に、侵入者特定装置の検知方法について説明する。図６はこの発明に係る侵入者特定装置の検知方法の一実施の形態動作フロー図である。侵入者特定装置の検知方法は、留守宅に侵入した侵入者を検知して警報信号を送信するとともに、侵入者が所持する携帯無線機に対して妨害電波の発生・停止を行い、発生・停止時間情報を送信する方法である。
【００５２】
図６において、ステップＳ１では、侵入者を検知したか否かを判定する。なお、ステップＳ１の動作は、侵入者検知部２が実行する。
【００５３】
次に、ステップＳ２で、警報信号を発生し、ステップＳ３では、発信起動信号を発生する。なお、ステップＳ２およびステップＳ３の動作は、侵入者特定制御部３が実行する。
【００５４】
続いて、ステップＳ４で、妨害電波を発信し、ステップＳ５では、妨害電波を停止する。なお、ステップＳ４およびステップＳ５の動作は、妨害電波発信部４が実行する。
【００５５】
このように、この発明に係る侵入者特定装置の検知方法は、留守宅に侵入した侵入者を検知して警報信号を送信するとともに、侵入者が所持する携帯無線機に対して妨害電波の発生・停止を行い、発生・停止時間情報を送信する方法であって、侵入者を検知したか否かを判定するステップＳ１と、警報信号を発生するステップＳ２と、発信起動信号を発生するステップＳ３と、妨害電波を発信するステップＳ４と、妨害電波を停止するステップＳ５とを備えたので、侵入者を検知すると、妨害電波を発生・停止して侵入者の携帯無線機（携帯電話機）から携帯番号やＩＤ等の情報を通知させるので、侵入者の携帯無線機（携帯電話機）の推定に有効に機能させることができ、セキュリティの信頼性向上を図ることができる。
【００５６】
図７はこの発明に係る侵入者特定システムの一実施の形態要部ブロック構成図である。図７において、侵入者特定システム１１は、侵入者特定装置１２、セキュリティ管理装置１３および局装置１４を備える。
【００５７】
侵入者特定装置１２は、ホームセキュリティ契約者宅に設置し、セキュリティ管理装置１３は、セキュリティ事業者の事業所に設置し、局装置１４は、通信業者が設置する。侵入者特定装置１２とセキュリティ管理装置１３は、回線網２２ａを介して接続し、セキュリティ管理装置１３と局装置１４は、回線網２２ｂを介して接続する。なお、回線網２２ａ，２２ｂは、無線回線網、有線回線網、インターネット回線網、専用回線網等で構成する。
【００５８】
侵入者特定装置１２は、留守宅（ホームセキュリティ契約者宅）に侵入した侵入者２３を検知して警報信号をセキュリティ管理装置１３に回線網１２ａを介して送信するとともに、侵入者２３が所持する携帯無線機（携帯電話機１４）に対して妨害電波１７ａの発生・停止を行い、発生・停止時間情報をセキュリティ管理装置１３に回線網２２ａを介して送信する。
【００５９】
セキュリティ管理装置１３は、侵入者特定装置１２から送信された警報信号を受信して侵入者２３が侵入した留守宅を特定するとともに、妨害電波の発生・停止時間情報を受信して記憶する。なお、記憶した妨害電波１７ａの発生・停止時間情報は、回線網２２ｂを介して局装置１４に送信する。また、妨害電波１７ａの発生・停止時間情報は、書面で局装置１４に提出するようにしてもよい。
【００６０】
局装置１４は、侵入者特定装置１２の妨害電波１７ａの発生・停止に伴い侵入者２３が所持する携帯無線機（携帯電話機２４）が圏外／圏内となり、圏外から圏内に切り替わる時に、携帯無線機（携帯電話機２４）から通知される情報と、セキュリティ管理装置１３から伝送される妨害電波１７ａの発生・停止時間情報とに基づいて携帯無線機（携帯電話機２４）を推定する。
【００６１】
このように、この発明に係る侵入者特定システム１１は、留守宅に侵入した侵入者２３を検知して警報信号を送信するとともに、侵入者２３が所持する携帯無線機（携帯電話機２４）に対して妨害電波１７ａの発生・停止を行う侵入者特定装置１２と、侵入者特定装置１２から送信された警報信号を受信して侵入者２３が侵入した留守宅を特定するセキュリティ管理装置１３と、侵入者特定装置１２の妨害電波１７ａの発生・停止に伴い侵入者２３が所持する携帯無線機（携帯電話機２４）が圏外／圏内となり、圏外から圏内に切り替わる時に、携帯無線機（携帯電話機２４）から通知される情報に基づいて携帯無線機を推定する局装置１４とを備えたので、留守宅への侵入者２３が所持する携帯無線機（携帯電話機２４）に対して妨害電波１７ａを発生・停止し、侵入者２３に気付かれることなく携帯無線機（携帯電話機２４）から携帯番号やＩＤ等の情報を通知させ、携帯番号やＩＤ等の情報に基づいて携帯無線機（携帯電話機２４）を推定し、侵入者２３を特定することができ、留守宅侵入に関する犯罪をスピーディに解決可能なホームセキュリティの信頼性向上を図ることができる。
【００６２】
また、図７において、侵入者特定装置１２は、侵入者検知部１５、侵入者特定制御部１６、妨害電波発信部１７、操作部１８を備える。侵入者検知部１５は、留守宅（ホームセキュリティ契約者宅）に侵入する侵入者２３を検知する１個または複数のセンサを備え、侵入者２３を検知した場合にはセンサ信号を侵入者特定制御部１６に供給する。なお、１個または複数のセンサは、留守宅の窓の開閉を検知する開閉センサ、部屋に設けた人感センサ、玄関内に設置された圧力センサ、赤外線センサ、超音波センサ、振動センサ、画像カメラ、感音センサ等で構成する。
【００６３】
侵入者特定制御部１６は、マイクロプロセッサを基本に各種処理機能、タイマ機能、信号発生機能、通信機能を備え、侵入者検知部１５から供給されるセンサ信号に基づいて警報信号を発生する。なお、警報信号は、回線網２２ａを介してセキュリティ管理装置１３に送信（伝送）される。
【００６４】
また、侵入者特定制御部１６は、侵入者検知部１５から供給されるセンサ信号に基づいて発信起動信号を妨害電波発信部１７に提供する。
【００６５】
さらに、侵入者特定制御部１６は、妨害電波発信部１７から提供される妨害電波の発生（開始）時間情報および停止時間情報を回線網２２ａを介してセキュリティ管理装置１３に送信（伝送）する。
【００６６】
また、侵入者特定制御部１６は、操作部１８から供給される留守設定情報に基づいて侵入者検知部１５および妨害電波発信部１７を起動状態に設定する。なお、侵入者特定装置１２の電源投入により、侵入者検知部１５および妨害電波発信部１７を起動状態に設定することもできる。
【００６７】
妨害電波発信部１７は、電波発信回路等で構成し、侵入者特定制御部１６から提供される発信起動信号に基づいて妨害電波１７ａを発生し、停止する。なお、妨害電波１７ａは、携帯電話機２４の周波数帯（例えば、８００ＭＨｚ帯、１．３ＧＨｚ帯のいずれか一方または双方）に設定する。
【００６８】
また、妨害電波発信部１７は、妨害電波１７ａを所定のパターンで発生・停止して妨害電波１７ａの発生・停止を複数回繰返し、妨害電波１７ａが停止する毎に携帯電話機２４から携帯番号やＩＤ等の情報を局装置１４の基地局１９ａに通知するように構成する。
【００６９】
操作部１８は、在宅と外出（留守）のモードを表示する表示器、帰宅時にセンサ信号の出力をキャンセルするためのＩＤ入力部、在宅ボタン、外出ボタン、スピーカ等を備え、外出（留守）時に侵入者特定装置１２を起動状態に設定し、帰宅時に侵入者特定装置１２を起動状態から解除する。
【００７０】
このように、この発明に係る侵入者特定装置１２は、妨害電波の発生・停止時間情報を送信するので、妨害電波の発生・停止時間情報と携帯無線機（携帯電話機２４）から通知される携帯番号やＩＤ等の情報を照合することにより、携帯無線機（携帯電話機２４）の特定が正確になって侵入者を特定することができる。
【００７１】
セキュリティ管理装置１３は、マイクロプロセッサを基本に警報機能、通信機能、メモリ等を備え、侵入者特定装置１２から供給される警報信号に基づいて侵入者２３が留守宅に侵入したことを警報で通知するとともに、侵入者特定装置１２から供給される妨害電波の発生（開始）時間情報および停止時間情報を記憶し、記憶した妨害電波の発生（開始）時間情報および停止時間情報を回線網２２ｂを介して局装置１４に送信（伝送）する。
【００７２】
なお、妨害電波の発生（開始）時間情報および停止時間情報を回線網２２ｂを介して局装置１４に送信（伝送）するようにしたが、妨害電波の発生（開始）時間情報および停止時間情報を書面にしてセキュリティ管理装置１３を設置するセキュリティ事業者から局装置１４を管轄する通信業者に提出するようにしてもよい。
【００７３】
図８はこの発明に係る妨害電波の発生・停止時間を記載した書面図である。図８において、書面には、ホームセキュリティ契約者住所と、妨害電波開始時間（年月日時間）および妨害電波終了時間（年月日時間）が記載される。
【００７４】
このように、この発明に係るセキュリティ管理装置１３は、妨害電波の発生・停止時間情報を受信して記憶するので、妨害電波の発生・停止時間情報と携帯無線機（携帯電話機２４）から通知される携帯番号やＩＤ等の情報とを照合することにより、携帯電話機２４を特定することができ、侵入者を特定することができる。
【００７５】
局装置１４は、基地局１９ａ、発生・停止時間情報受信部２０、携帯無線機推定部２１を備える。基地局１９ａは、侵入者２３の携帯無線機（携帯電話機２４）が妨害電波１７ａの発信・停止に伴い、「圏外」から「圏内」に切り替わる時に、携帯無線機（携帯電話機２４）から通知される携帯番号やＩＤ等の情報を受信し、情報を携帯無線機推定部２１に供給する。
【００７６】
発生・停止時間情報受信部２０は、受信部、メモリ等を備え、セキュリティ管理装置１３から回線網２２ｂを介して伝送される妨害電波１７ａの発生（開始）時間情報および停止時間情報を受信して記憶し、妨害電波１７ａの発生（開始）時間情報および停止時間情報を携帯無線機推定部２１に供給する。
【００７７】
携帯無線機推定部２１は、比較・照合機能を備え、基地局１９ａから供給される携帯電話機２４の携帯番号やＩＤ等の情報と、発生・停止時間情報受信部２０から供給される妨害電波１７ａの発生・停止時間情報（発生時間情報および発信停止時間情報）とを解析して照合し、解析・照合結果から携帯電話機２４を推定する。
【００７８】
図９はこの発明に係る侵入者特定システムの別実施の形態要部ブロック構成図である。図９において、侵入者特定システム２５は、侵入者検知部１５、侵入者特定制御部１６、妨害電波発信部１７、操作部１８、位置特定依頼情報発信部２６を備えた侵入者特定装置１２と、セキュリティ管理装置１３と、基地局１９ａ、基地局１９ｂ、発生・停止時間情報受信部２０、携帯無線機推定部２１、位置推定部２７を備えた局装置１４とから構成する。
【００７９】
なお、侵入者特定システム２５は、侵入者特定装置１２に位置特定依頼情報発信部２６を追加した点、局装置１４に基地局１９ｂおよび位置推定部２７を追加した点が図７に示す侵入者特定システム１１と異なるので、関連する部分について説明する。
【００８０】
侵入者特定装置１２の位置特定依頼情報発信部２６は、発信機能を有し、侵入者２３をセンサが検知すると妨害電波発信部１７から侵入者特定制御部１６に供給されるセンサ信号に基づいて位置特定依頼情報を局装置１４の基地局１９ａ，基地局１９ｂに放射する。なお、位置特定依頼情報とは、留守宅に侵入者２３が侵入した場合、留守宅の位置を特定するために局装置１４に送信する情報を表わす。
【００８１】
一方、妨害電波発信部１７も侵入者検知部１５から侵入者特定制御部１６に供給されるセンサ信号に基づいて妨害電波１７ａを携帯電話機２４に対して放射するので、前述した妨害電波１７ａの停止時に、携帯電話機２４が「圏外」から「圏内」に切り替わり、携帯番号やＩＤ等の情報を基地局１９ａ，基地局１９ｂに通知する。
【００８２】
局装置１４の基地局１９ａおよび基地局１９ｂは、侵入者特定装置１２の位置特定依頼情報発信部２６から放射された位置特定依頼情報を受信し、それぞれ受信した位置特定依頼情報を位置推定部２７に提供する。
【００８３】
また、局装置１４の基地局１９ａおよび基地局１９ｂは、侵入者２３の所持する携帯電話機２４から通知される情報を受信し、受信した情報を位置推定部２７に提供する。
【００８４】
位置推定部２７は、電界強度測定器、演算機能等を備え、それぞれの基地局１９ａおよび基地局１９ｂから提供される位置特定依頼情報および携帯電話機２４からの情報の電界強度を測定し、測定した電界強度から侵入者２３が侵入した留守宅の位置を推定する。
【００８５】
このように、この発明に係る侵入者特定システム２５は、侵入者特定装置１２に、侵入者検知部１５から供給されるセンサ信号に基づいて位置特定依頼情報を発生する位置特定依頼情報発信部２６を備えたので、位置特定依頼情報により、侵入者２３の携帯無線機（携帯電話機２４）の位置を特定させることができ、侵入者２３の携帯無線機（携帯電話機２４）の推定をより一層有効に機能させることができる。
【００８６】
また、この発明に係る侵入者特定システム２５は、局装置１４に、複数の基地局１９ａ，１９ｂを備えるとともに、位置特定依頼情報発信部２６からの位置特定依頼情報を受信して携帯無線機（携帯電話機２４）の位置を推定する位置推定部２７を備えたので、複数の基地局１９ａ，１９ｂが受信した位置特定依頼情報に基づいて侵入者２３の携帯無線機（携帯電話機２４）の位置を推定することができ、携帯無線機（携帯電話機２４）の携帯番号やＩＤ等の情報と併せて侵入者を精度良く特定することができる。
【００８７】
図１０はこの発明に係るセキュリティ管理装置の一実施の形態要部ブロック図である。（ａ）図に除外者リスト記憶部２８を備えたセキュリティ管理装置１３を示し、（ｂ）図にセキュリティ管理装置１３から局装置１４に依頼する除外者リスト書面を表わす。
【００８８】
除外者リスト記憶部２８は、ＲＡＭ、ＥＥＰＲＯＭ等の書換え可能なメモリで構成し、留守宅に置かれている家族の携帯電話機で、侵入者特定の際に除外するものの携帯番号が予め設定された侵入者特定装置１２から供給される除外対象の携帯番号を記憶し、記憶した除外対象の携帯番号を妨害電波開始時間情報および妨害電波停止時間情報とともに、局装置１４に送信（伝送）する。
【００８９】
また、侵入者２３の特定を書面で依頼する場合には、（ｂ）図に示すように、ホームセキュリティ契約者、妨害電波開始時間、妨害電波停止時間、除外する携帯番号を記載したリストをセキュリティ事業者から通信業者に提出する。
【００９０】
なお、留守にする場合、意図的に携帯電話機を留守宅に残し、予め除外者リストに携帯番号を登録しておくことにより、意図的に残した携帯電話機が妨害電波１７ａによって「圏外」から「圏内」に切り替わるときに通知される携帯番号を参照し、侵入者２３の携帯電話機２４から同時に通知される携帯番号の推定を容易にすることもできる。
【００９１】
このように、この発明に係る侵入者特定システム１１，２５は、セキュリティ管理装置１３に、侵入者特定装置１２に予め入力した携帯無線機（例えば、家族の携帯電話機）の除外リストを記憶する除外リスト記憶部２８を備えたので、留守宅に家族の携帯無線機（携帯電話機）がある場合、侵入者特定装置１２から発生・停止される妨害電波１７ａにより、侵入者２３の携帯無線機（携帯電話機２４）とともに、家族の携帯無線機（携帯電話機）から携帯番号やＩＤ等の情報が通知されても、除外リストに基づいて家族の携帯無線機（携帯電話機）を除外することができ、侵入者２３の携帯無線機（携帯電話機２４）を確実に推定することができる。
【００９２】
なお、本実施の形態では、侵入者特定装置１２をホームセキュリティ契約者宅に設置する場合について説明したが、店舗、デパート、美術館、ビルおよび工場等に設置して侵入者に備えることもできる。
【００９３】
次に、侵入者特定システムの推定方法について説明する。侵入者特定システムの推定方法は、留守宅に侵入した侵入者２３を検知して警報信号を送信するとともに、侵入者２３が所持する携帯無線機（携帯電話機２４）に対して妨害電波１７ａの発生・停止を行い、発生・停止時間情報を送信するとともに、携帯無線機（携帯電話機２４）が圏外／圏内となり、圏外から圏内に切り替わる時に、携帯無線機（携帯電話機２４）から通知される情報と、妨害電波１７ａの発生・停止時間情報とに基づいて携帯無線機（携帯電話機２４）を推定する。
【００９４】
図１１はこの発明に係る侵入者特定システムの推定方法の一実施の形態要部動作フロー図である。図１１において、ステップＰ１では、留守宅に侵入した侵入者を検知する。なお、ステップＰ１の動作は、侵入者特定装置１２の侵入者検知部１５が実行する。
【００９５】
ステップＰ２では、妨害電波を発信する。なお、ステップＰ２の動作は、侵入者特定装置１２の妨害電波発信部１７が実行する。
【００９６】
ステップＰ３では、妨害電波の発信開始時間および発信停止時間を通知する。なお、ステップＰ３の動作は、侵入者特定装置１２の侵入者特定制御部１６が実行する。
【００９７】
ステップＰ４では、妨害電波の発信開始時間および発信停止時間に侵入宅の住所を付加して通知する。なお、ステップＰ４の動作は、セキュリティ管理装置３が実行する。
【００９８】
ステップＰ５では、受信した携帯番号に受信時間を付加して通知する。なお、ステップＰ５の動作は、局装置１４の基地局１９ａが実行する。
【００９９】
ステップＰ６では、発信開始時間、発信停止時間、携帯番号および受信時間を照合する。なお、ステップＰ６の動作は、局装置１４の携帯無線機推定部２１が実行する。
【０１００】
ステップＰ７では、照合結果が合致するか否かを判定し、合致する場合にはステップＰ８に移行する。一方、合致しない場合にはステップＰ９に移行する。なお、ステップＰ７の動作は、携帯無線機推定部２１が実行する。
【０１０１】
ステップＰ８では、侵入者の携帯電話機と推定する。また、ステップＰ９では、侵入者の物（携帯電話機）に該当せずと判断する。なお、ステップＰ８およびステップＰ９の動作は、局装置１４の携帯無線機推定部２１が実行する。
【０１０２】
このように、この発明に係る侵入者特定システムの推定方法は、留守宅に侵入した侵入者２３を検知して警報信号１７ａを送信するとともに、侵入者２３が所持する携帯無線機（無線電話機２４）に対して妨害電波の発生・停止を行い、発生・停止時間情報を送信するとともに、携帯無線機（無線電話機２４）が圏外／圏内となり、圏外から圏内に切り替わる時に、携帯無線機（無線電話機２４）から通知される情報と、妨害電波１７ａの発生・停止時間情報とに基づいて携帯無線機（無線電話機２４）を推定するので、留守宅への侵入者２３が所持する携帯電話機２４を容易に推定することができ、侵入者２３を特定して留守宅侵入に関する犯罪をスピーディに解決可能なホームセキュリティの信頼性向上を図ることができる。
【０１０３】
【発明の効果】
以上説明したように、この発明に係る侵入者特定装置は、侵入者を検知するセンサを備えた侵入者検知部と、侵入者検知部から供給されるセンサ信号に基づいて発信起動信号を発生する侵入者特定制御部と、発信起動信号に基づいて妨害電波を侵入者が所持する携帯無線機に対して発生・停止する妨害電波発信部とを備えたので、留守宅への侵入者が所持する携帯無線機（携帯電話機）に対して妨害電波を発生・停止し、侵入者に気付かれることなく携帯無線機（携帯電話機）から携帯番号やＩＤ等の情報を通知させることができ、侵入者の携帯無線機（携帯電話機）の推定に有効に機能させることができ、装置の性能向上を図ることができる。
【０１０４】
また、この発明に係る妨害電波発信部は、妨害電波を所定のパターンで発生・停止するので、侵入者の携帯無線機（携帯電話機）から所定のパターンで携帯番号やＩＤ等の情報を発生させることができ、侵入者の携帯無線機（携帯電話機）の推定を一層有効に機能させることができる。
【０１０５】
さらに、この発明に係る侵入者特定装置は、侵入者検知部から供給されるセンサ信号に基づいて位置特定依頼情報を発生する位置特定依頼情報発信部を備えたので、位置特定依頼情報により、基地局等で、侵入者の携帯無線機（携帯電話機）の位置を特定させることができ、侵入者の携帯無線機（携帯電話機）の推定をより一層有効に機能させることができる。
【０１０６】
また、この発明に係る侵入者特定装置の検知方法は、留守宅に侵入した侵入者を検知して警報信号を送信するとともに、侵入者が所持する携帯無線機に対して妨害電波の発生・停止を行い、発生・停止時間情報を送信する方法であって、侵入者を検知したか否かを判定するステップ（Ｓ１）と、警報信号を発生するステップ（Ｓ２）と、発信起動信号を発生するステップ（Ｓ３）と、妨害電波を発信するステップ（Ｓ４）と、妨害電波を停止するステップ（Ｓ５）とを備えたので、侵入者を検知すると、妨害電波を発生・停止して侵入者の携帯無線機（携帯電話機）から携帯番号やＩＤ等の情報を通知させるので、侵入者の携帯無線機（携帯電話機）の推定に有効に機能させることができ、セキュリティの信頼性向上を図ることができる。
【０１０７】
さらに、この発明に係る侵入者特定システムは、留守宅に侵入した侵入者を検知して警報信号を送信するとともに、侵入者が所持する携帯無線機に対して妨害電波の発生・停止を行う侵入者特定装置と、侵入者特定装置から送信された警報信号を受信して侵入者が侵入した留守宅を特定するセキュリティ管理装置と、侵入者特定装置の妨害電波の発生・停止に伴い侵入者が所持する携帯無線機が圏外／圏内となり、圏外から圏内に切り替わる時に、携帯無線機から通知される情報に基づいて携帯無線機を推定する局装置とを備えたので、留守宅への侵入者が所持する携帯無線機（携帯電話機）に対して妨害電波を発生・停止し、侵入者に気付かれることなく携帯無線機（携帯電話機）から携帯番号やＩＤ等の情報を通知させ、携帯番号やＩＤ等の情報に基づいて携帯無線機（携帯電話機）を推定し、侵入者を特定することができ、留守宅侵入に関する犯罪をスピーディに解決可能なホームセキュリティの信頼性向上を図ることができる。
【０１０８】
また、この発明に係る侵入者特定装置は、妨害電波の発生・停止時間情報を送信するので、妨害電波の発生・停止時間情報と携帯無線機（携帯電話機）から通知される携帯番号やＩＤ等の情報を照合することにより、携帯無線機（携帯電話機）の特定が正確になって侵入者を特定することができる。
【０１０９】
さらに、この発明に係るセキュリティ管理装置は、妨害電波の発生・停止時間情報を受信して記憶するので、妨害電波の発生・停止時間情報と携帯無線機（携帯電話機）から通知される携帯番号やＩＤ等の情報とを照合することにより、携帯電話機を特定することができ、侵入者を特定することができる。
【０１１０】
また、この発明に係るセキュリティ管理装置は、侵入者特定装置に予め入力した携帯無線機の除外リストを記憶する除外リスト記憶部を備えたので、留守宅に家族の携帯無線機（携帯電話機）がある場合、ホームセキュリティ装置から発生・停止される妨害電波により、侵入者の携帯無線機（携帯電話機）とともに、家族の携帯無線機（携帯電話機）から携帯番号やＩＤ等の情報が通知されても、除外リストに基づいて家族の携帯無線機（携帯電話機）を除外することができ、侵入者の携帯無線機（携帯電話機）を確実に推定することができる。
【０１１１】
さらに、この発明に係る侵入者特定システムの推定方法は、留守宅に侵入した侵入者を検知して警報信号を送信するとともに、侵入者が所持する携帯無線機に対して妨害電波の発生・停止を行い、発生・停止時間情報を送信するとともに、携帯無線機が圏外／圏内となり、圏外から圏内に切り替わる時に、携帯無線機から通知される情報と、妨害電波の発生・停止時間情報とに基づいて携帯無線機を推定するので、留守宅への侵入者が所持する携帯電話機を容易に推定することができ、侵入者を特定して留守宅侵入に関する犯罪をスピーディに解決可能なホームセキュリティの信頼性向上を図ることができる。
【図面の簡単な説明】
【図１】  この発明に係る侵入者特定装置の一実施の形態要部ブロック構成図
【図２】  この発明に係る妨害電波と電話機情報の一関連図
【図３】  この発明に係る妨害電波と電話機情報の別関連図
【図４】  この発明に係る侵入者特定装置の別実施の形態要部ブロック構成図
【図５】  この発明に係る侵入者特定装置を採用した一実施の形態製品イメージ図
【図６】  この発明に係る侵入者特定装置の検知方法の一実施の形態動作フロー図
【図７】  この発明に係る侵入者特定システムの一実施の形態要部ブロック構成図
【図８】  この発明に係る妨害電波の発生・停止時間を記載した書面図
【図９】  この発明に係る侵入者特定システムの別実施の形態要部ブロック構成図
【図１０】  この発明に係るセキュリティ管理装置の一実施の形態要部ブロック図
【図１１】  この発明に係る侵入者特定システムの推定方法の一実施の形態要部動作フロー図
【符号の説明】
１，６，１２，３０  侵入者特定装置
２，１５  侵入者検知部
３，１６  侵入者特定制御部
４，１７  妨害電波発信部
５，１８  操作部
７，２６  位置特定依頼情報発信部
８，２３  侵入者
９，２４  携帯電話機
１１，２５  侵入者特定システム
１３  セキュリティ管理装置
１４  局装置
１９ａ，１９ｂ  基地局
２０  発生・停止時間情報受信部
２１  携帯無線機推定部
２２ａ，２２ｂ  回線網
２７  位置推定部
２８  除外者リスト記憶部
３１  ケース
３２  表示器
３３  在宅ボタン
３４  外出ボタン
３５  スピーカ
３６  送信アンテナ
【図１】
0003852576.tif 000002
【図２】
0003852576.tif 000003
【図３】
0003852576.tif 000004
【図４】
0003852576.tif 000005
【図５】
0003852576.tif 000006
【図６】
0003852576.tif 000007
【図７】
0003852576.tif 000008
【図８】
0003852576.tif 000009
【図９】
0003852576.tif 000010
【図１０】
0003852576.tif 000011
【図１１】
0003852576.tif 000012